(57)【要約】【課題】  加熱によるカールの発生が抑止でき、また、使用後のリサイクルや廃棄処理が容易となり、更には製造コストの低減が図れる電子レンジ用紙製蓋を得る。【解決手段】  容器に収容した食品の電子レンジによる加熱調理時に使用する電子レンジ用紙製蓋であって、蓋１は、少なくとも片面に塗工層２を設けた紙素材３で形成し、塗工層２が設けられた面を蓋の上面側とし、蓋１の天面部４には下面側が凹状５ａとなり上面側が凸状５ｂとなるように形成した罫線５を設けることにより、加熱したとき、蓋１を形成する紙素材３の上面側からの放湿を塗工層２で抑え、天面部４に設けた罫線５により天面部４のカールを抑えるようにした。【選択図】  図１
2017145044.tif 000002
【特許請求の範囲】
【請求項１】
容器に収容した食品の電子レンジによる加熱調理時に使用する電子レンジ用紙製蓋であって、
前記蓋は、少なくとも片面に塗工層を設けた紙素材で形成され、塗工層が設けられた面を蓋の上面側とし、蓋の天面部には下面側が凹状となり上面側が凸状となるように形成された罫線が設けられていることを特徴とする電子レンジ用紙製蓋。
【請求項２】
前記罫線は、湾曲線を含むことを特徴とする請求項１に記載の電子レンジ用紙製蓋。
【請求項３】
前記蓋は、前記天面部の側辺部に折り曲げ線を介して折り曲げられた側片部が設けられていることを特徴とする請求項１または２に記載の電子レンジ用紙製蓋。
【発明の詳細な説明】
【技術分野】
【０００１】
本発明は、容器に収容した食品を電子レンジで加熱調理する際に用いる電子レンジ用紙製蓋に関する。
【背景技術】
【０００２】
トレー状などの容器に収容した食品を電子レンジで加熱調理する際に、食品の加熱ムラをなくしたり、食品が容器の外に飛散したりすることを防ぐために容器の開口部を覆う蓋として、紙製の蓋が用いられている。
紙製の蓋は、加熱により蓋を形成する紙素材の上面側が放湿して縮み、下面側が食品から発生する水蒸気により膨張することにより、凹状に大きくカールしてしまい、蓋としての役割を果たさなくなるばかりか、内面が食品に触れることもある。
【０００３】
このような事態を防止する蓋として、紙材料層の下面側に耐水性に優れた樹脂フィルム層を積層し、上面側に耐水性ニス層を設けることによりカールの発生を抑止できるようにした電子レンジ加熱用の蓋が知られている（例えば特許文献１参照。）。
【先行技術文献】
【特許文献】
【０００４】
【特許文献１】特開２００３−４３２号公報
【発明の概要】
【発明が解決しようとする課題】
【０００５】
特許文献１に記載されている紙製の蓋は、カールの発生は抑止できるものの紙材料層の下面側に耐水性の樹脂フィルム層が積層されているので、蓋のリサイクルに適さず、また廃棄処理に手間がかかるといった問題がある。
また、流通時における食品を収容した容器が紙製の蓋付き容器である場合も多くあり、紙製の蓋と容器でそのまま電子レンジに使用するといったことが行われるが、この場合、蓋について特許文献１に記載された蓋を使用することにより、蓋のリサイクルや廃棄処理といった問題は別として、カールといった問題は解決されるが、食品が必ずしも熱して食べるものとは限らない場合は、蓋に耐水性の樹脂フィルム層を積層することはコストの面において問題がある。
本発明者は、耐水性の樹脂フィルム層を積層することなくカールを防止できる紙製の蓋について試験研究を重ねた結果、蓋に凹凸状の罫線を設けることに着目し本発明を成すに至った。
【０００６】
本発明の目的とするところは、加熱によるカールの発生が抑止でき、また、使用後のリサイクルや廃棄処理が容易となり、更には製造コストの低減が図れる電子レンジ用紙製蓋を提供することにある。
【課題を解決するための手段】
【０００７】
上記の目的を達成するために、請求項１に記載の発明は、容器に収容した食品の電子レンジによる加熱調理時に使用する電子レンジ用紙製蓋であって、前記蓋は、少なくとも片面に塗工層を設けた紙素材で形成され、塗工層が設けられた面を蓋の上面側とし、蓋の天面部には下面側が凹状となり上面側が凸状となるように形成された罫線が設けられていることを特徴としている。
【０００８】
請求項２に記載の発明は、請求項１に記載の、前記罫線は、湾曲線を含むことを特徴としている。
【０００９】
請求項３に記載の発明は、請求項１または２に記載の、前記蓋は、前記天面部の側辺部に折り曲げ線を介して折り曲げられた側片部が設けられていることを特徴としている。
【発明の効果】
【００１０】
請求項１に記載の電子レンジ用紙製蓋によれば、前記蓋は、少なくとも片面に塗工層を設けた紙素材で形成され、塗工層が設けられた面を蓋の上面側としているので、加熱したとき、蓋を形成する紙素材の上面側からの放湿を塗工層が抑え、そして、蓋の天面部には罫線が設けられており、その罫線は、蓋の天面部の下面側が凹状となり上面側が凸状となるように形成されているので、加熱された食品から発生する水蒸気により膨張した下面側の表面積の拡大を、天面部の下面側に形成された凹状の部分により形成された空間が吸収する。さらに、天面部に作用する凹状にカールしようとする力に対し、天面部の上面側に形成された凸状の部分がリブとなりカールを抑えるので、これらの作用の相乗によって加熱により蓋に発生するカールを効果的に抑止することができる。
また、耐水性の樹脂フィルム層を積層していないので、使用後のリサイクルや廃棄処理が容易となり、更には製造コストの低減を図ることができる。
【００１１】
請求項２に記載の電子レンジ用紙製蓋によれば、前記罫線は、湾曲線を含むので、天面部におけるカールする力がどの方向に働いても、前記罫線はカールに対するリブとしての機能を有効に発揮することができ、加熱により蓋に発生するカールを一層効果的に抑止することができる。
【００１２】
請求項３に記載の電子レンジ用紙製蓋によれば、前記蓋は、前記天面部の側辺部に折り曲げ線を介して折り曲げられた側片部が設けられているので、前記側片部がカールに対するリブとしての機能を発揮し、加熱により蓋に発生するカールをより一層効果的に抑止することができる。
【図面の簡単な説明】
【００１３】
【図１】本発明に係る電子レンジ用紙製蓋の実施の形態の第１例を示す平面図である。
【図２】図１のＡ−Ａ線拡大断面図である。
【図３】第１例の電子レンジ用紙製蓋が使用される容器の一例を示す斜視図である。
【図４】第１例の電子レンジ用紙製蓋を図３に示す容器の開口部に被せた状態を示す斜視図である。
【図５】本発明に係る電子レンジ用紙製蓋の実施の形態の第２例を示す斜視図である。
【図６】第２例の電子レンジ用紙製蓋が使用される容器の一例を示す斜視図である。
【図７】第２例の電子レンジ用紙製蓋を図６に示す容器の開口部に被せた状態を示す斜視図である。
【発明を実施するための形態】
【００１４】
以下、本発明に係る電子レンジ用紙製蓋の実施の形態を図面を参照して説明する。
図１乃至図４は本発明に係る電子レンジ用紙製蓋の実施の形態の第１例を示すものであり、図１は第１例の電子レンジ用紙製蓋を示す平面図、図２は図１のＡ−Ａ線拡大断面図、図３は第１例の電子レンジ用紙製蓋が使用される容器の一例を示す斜視図、図４は第１例の電子レンジ用紙製蓋を図３に示す容器の開口部に被せた状態を示す斜視図である。
【００１５】
本例の電子レンジ用の紙製の蓋１は、片面にクレーや炭酸カルシウムなどの白色顔料の塗工層２を設けた坪量が１８０ｇ／ｍ2〜４００ｇ／ｍ2の紙素材３が使用され、適宜の形状に打ち抜かれて形成される。蓋１の形状にあっては、蓋１を被せるトレー状などの容器２０の開口部２１の形状に応じて形成することが好ましいが、特に限定されない。
【００１６】
蓋１は、塗工層２が設けられた面を蓋１の上面側、即ち容器に被せたとき外側に現れる面とし、蓋１の天面部４には、下面側が凹状５ａとなり上面側が凸状５ｂとなるように形成された罫線５が設けられている。
罫線５の本数や太さ（深さ）は、後述するカールの発生を効果的に抑止できるものであれば特に限定されるものではないが、天面部４の面積や厚さなどに応じて変えることが好ましい。例えば、天面部４の面積が大きければ罫線５の本数を増やし、また、太さ（深さ）を大きくする。
本例では、天面部４に所定の間隔を空けて３本の罫線５が設けられており、図１の図面上、中央の罫線５が直線となり、上下の罫線５が湾曲線となっている。
【００１７】
また、本例では、蓋１が容器２０からズレないように、蓋１にズレ防止手段６が設けられている。本例のズレ防止手段６は容器２０との関係において構成されている。詳細には、本例が使用される容器２０は、筒状壁部２２の開口端縁の、本例では図面上、上下左右の箇所にそれぞれ同じ深さの切り欠き溝部２３が形成してあり（図３参照。）、本例の蓋１は、天面部４が容器２０の開口部２１の内径に応じた形状になるように形成され、天面部４の周辺には、容器２０の筒状壁部２２の開口端縁に形成された切り欠き溝部２３に対応する位置に、切り欠き溝部２３に嵌合可能な突片部７が形成され、突片部７がズレ防止手段６を構成している。そして、容器２０の開口部２１に蓋１を被せるとき、天面部４の周辺に形成された突片部７を容器２０の筒状壁部２２の開口端縁に形成された切り欠き溝部２３に嵌合させることにより、蓋１が容器２０からズレないようになっている（図４参照。）。
【００１８】
このように構成した第１例の電子レンジ用の紙製の蓋１によれば、食品を収容した容器２０の開口部２１に蓋１を被せ、電子レンジにより加熱料理したとき、蓋１は、片面に塗工層２を設けた紙素材３で形成され、塗工層２が設けられた面を蓋１の上面側としているので、加熱により蓋１を形成する紙素材３の上面側からの放湿を塗工層２が抑え、また、加熱された食品から発生する水蒸気により膨張する下面側の表面積の拡大は、天面部４の下面側に形成された凹状５ａの部分により形成された空間Ｓが吸収し、さらに、天面部４に作用する凹状にカールしようとする力に対し、天面部４の上面側に形成された凸状５ｂの部分がリブとなりカールを抑えるので、これらの作用の相乗によって加熱により蓋１に発生するカールを効果的に抑止することができる。
【００１９】
また、本例では、天面部４に所定の間隔を空けて３本の罫線５が設けられており、中央の罫線５が直線となり、左右の罫線５が湾曲線となっているので、罫線５のリブ機能が高く、特に、湾曲線を含むので、天面部４におけるカールする力がどの方向に働いても、罫線５はカールに対するリブとしての機能を有効に発揮することができ、加熱により蓋１に発生するカールが一層効果的に抑止される。
【００２０】
図５乃至図７は、本発明に係る電子レンジ用紙製蓋の実施の形態の第２例を示すものであり、図５は第２例の電子レンジ用紙製蓋を示す斜視図、図６は第２例の電子レンジ用紙製蓋が使用される容器の一例を示す斜視図、図７は第２例の電子レンジ用紙製蓋を図６に示す容器の開口部に被せた状態を示す斜視図である。
【００２１】
第２例の電子レンジ用の紙製の蓋１について、第１例と同一の構成については同一の符号を付しその説明を省略し、第１例と異なる構成についてのみ説明する。
本例の電子レンジ用の紙製の蓋１は、第１例と同様、片面に塗工層２を設けた紙素材３が使用され、適宜形状に打ち抜かれて形成される。蓋１の形状にあっては、本例では矩形状に形成されている。
【００２２】
このように形成された蓋１は、第１例と同様、塗工層２が設けられた面を蓋１の上面側、即ち容器２０に被せたとき外側に現れる面とし、蓋１の天面部４には、下面側が凹状５ａとなり上面側が凸状５ｂとなるように形成された罫線５が設けられている。本例では、天面部４に所定の間隔を空けて３本の罫線５が設けられており、中央の罫線５が直線となり、左右の罫線５が湾曲線となっている。
【００２３】
さらに、本例では、蓋１は天面部４の側辺部、本例では図面上、上下の側辺部に折り曲げ線８を介して折り曲げられた側片部９が連設されている。折り曲げ線８は、ミシン目線、罫線などで形成されている。
【００２４】
また、本例では第１例と同様、蓋１が容器２０からズレないように、蓋１にズレ防止手段６が設けられている。本例のズレ防止手段６は容器２０との関係において構成されている。詳細には、本例が使用される容器２０は、筒状壁部２２の開口端縁の、本例では図面上、左右の箇所に突片部２４が形成してあり（図６参照。）、本例の蓋１は、天面部４の左右辺に、容器２０の筒状壁部２２の開口端縁に形成された突片部２４に対応する位置に、突片部２４に嵌合可能な切り欠き溝部１０が形成され、切り欠き溝部１０がズレ防止手段６を構成している。そして、容器２０の開口部２１に蓋を被せるとき、天面部４の周辺に形成された切り欠き溝部１０に容器２０の筒状壁部２２の開口端縁に形成された突片部２４を嵌合させることにより、蓋１が容器２０からズレないようになっている（図７参照。）。
【００２５】
このように構成した第２例の電子レンジ用の紙製の蓋１によれば、蓋１は天面部４の側辺部に折り曲げ線８を介して折り曲げられた側片部９が設けられているので、側片部９がカールに対するリブとしての機能を発揮し、加熱により蓋１に発生するカールをより一層効果的に抑止することができる。
その他の構成及び効果は、第１例と同様なので、第１例の説明を援用する。
【符号の説明】
【００２６】
１  蓋
２  塗工層
３  紙素材
４  天面部
５  罫線
５ａ  凹状
５ｂ  凸状
６  ズレ防止手段
７  突片部
８  折り曲げ線
９  側片部
１０  切り欠き溝部
２０  容器
２１  開口部
２２  筒状壁部
２３  切り欠き溝部
２４  突片部
Ｓ  空間
【図１】
2017145044.tif 000003
【図２】
2017145044.tif 000004
【図３】
2017145044.tif 000005
【図４】
2017145044.tif 000006
【図５】
2017145044.tif 000007
【図６】
2017145044.tif 000008
【図７】
2017145044.tif 000009